(57)【要約】      （修正有）【課題】交差点において、信号機が黄色になったらもうブレーキをかけた方がよい地点と、前後左右に注意してわたるのが適正な地点を、運転手に知らせる方法および、事故後においてその時の信号機が何色であったかわかる方法の提供。【解決手段】制限速度で走っていて、信号機の黄色が点灯した場合、交差点で求められる停止位置から逆に、空走距離＋制動距離＝停止距離を置いた、車がブレーキを掛けるべき最終地点に、最終ブレーキポイント指示ライン２を設けるおよび交差点に速度取締装置５を併設し、信号機１と速度取締装置５を連動して、１機か２機の高性能カメラ６、７で、赤色の点灯時に、信号機の赤色の廂の一部に透明の窓８を設けた信号機１の上の６と、運転者の顔が写る場所の７から、その交差点の停止位置上を、その付近では止まれないようなスピード、たとえば１０キロメートル以上で通過する車等の写真を１枚か同時に２枚、撮り得るようにする。【選択図】図８
2006161555.tif 000002
【特許請求の範囲】
【請求項１】
信号機（１）のある交差点に向かって、その道路の制限速度で走っていて、信号機の黄色が点灯した場合、車が通常のブレーキを掛けて、通常の乾燥した路面で、性能を十分発揮できるタイヤをはいている場合の、交差点で求められる停止位置から逆に、空走距離＋制動距離＝停止距離を置いた、車が通常のブレーキを掛けるべき最終地点に、色は何でも良いが、仮に黄色で道路に線を引く最終ブレーキポイント指示ライン（２）。〔図１〕
【請求項２】
信号機（１）のある交差点に向かって、その道路の制限速度で走っていて、信号機の黄色が点灯した場合、車が通常のブレーキを掛けて、通常の乾燥した路面で、性能を十分発揮できるタイヤをはいている場合と、雨に濡れた路面で、法律で許される範囲内で、タイヤがすり減った状態での場合の２つの場合の、交差点で求められる停止位置から逆に、空走距離＋制動距離＝停止距離を置いた、車が通常のブレーキを掛けるべき、それぞれの最終地点に、色は何でも良いが、仮に黄色で道路に２本の線を引く最終ブレーキポイント指示ライン（２）。
【請求項３】
最終ブレーキポイント指示ライン（２）の幅の線の太さは、道路交通法関係で決められた幅の線の太さとするか、その時代々々のブレーキの性能の差を、そのまま、当該最終ブレーキポイント指示ライン（２）の幅の線の太さとする。
【請求項４】
請求項２、３で求めた２本の最終ブレーキポイント指示ライン（２）の１方を、点線にするか、色を変えるか、あるいは両方を施してラインを引く最終ブレーキポイント指示ライン（２）。
【請求項５】
請求項２、３で求めた２本の最終ブレーキポイント指示ライン（２）を、あわせて
１、１本の太いライン、結果的には長方形の区間とするか、〔図７〕
２、長方形の内部は左右どちらかの側からの斜線にする、
３、左右からの斜線で長方形の内部に×印が１箇所か複数箇所ある様にする、
４、指示ラインを段々太くするか細くする、〔図８〕（範囲を示す長方形はある場合と無い場合がある）
５、長方形の内部に、Ｂ（頭文字）、ＢＲＡＫＥ（英語）、ＢＲＥＭＳＥ（ドイツ語）、Ｆ（頭文字）、ＦＲＥＩＮ（フランス語）、ＦＲＥＮＯ（スペイン語、イタリア語）、等の文字を入れて示す、
最終ブレーキポイント指示ライン（２）。
【請求項６】
車等が通常走り、曲がり、止まるのには何ら影響はなく、運転手に不快感は与えないが、運転手がそのうえを走ったことは明確に解るよう、段差舗装や道路ビョウ等の技術を取り込んだ最終ブレーキポイント指示ライン（３）。〔図２〕
【請求項７】
運転手にも最終ブレーキポイント指示ライン（２）に達したことが、解りやすい様に、運転席からも容易に見えるように幅を広くとった最終ブレーキポイント指示ライン（２）。
【請求項８】
運転手にも最終ブレーキポイント指示ライン（２）に達したことが、解りやすい様に、運転席からも容易に見えるように、最終ブレーキポイント指示ライン（２）を、道路上から路側帯を通り越して歩道の上まで引き、そこに１〜２メートル程度のポール（４）をたてた最終ブレーキポイント指示ライン（２）。〔図３〕
【請求項９】
信号機（１）のある交差点に速度取締装置（５）を併設し、信号機（１）と速度取締装置（５）を連動して、１機か２機の高性能カメラ（６、７）で、赤色の点灯時に、（信号機の）３色のライトの内、赤色の廂（１１）の一部に透明の窓（８）を設けた信号機（１）の上の１機（６）と、運転者の顔が写る場所の１機（７）から、その交差点で求められる停止位置上を、その付近では止まれないようなスピード、たとえば１０キロメートル以上で通過する車か、交差点の内部に侵入している車等の写真｛当然登録番号（１２）とともに｝を１枚が同時に２枚、撮り得るようにする。〔図４、５、６〕
【請求項１０】
２枚を撮影する場合その２枚は、同一の時間に撮ったことがわかるよう、撮影の日付と時間（９）を、また、赤信号になってから何秒後の出来事かわかるよう、信号機の赤色の点灯後の経過秒数（１０）も、写真と同時に写真内にプリントする。〔図５〕
【請求項１１】
特定方向、特に右折可能の青い矢印（→）を表示する信号機（１）の場合、青い矢印（→）を表示するタイミングを、現在の黄色から赤色に変わるタイミングから、青色から黄色に変わるタイミングに早める。
【発明の詳細な説明】
【発明の詳細な説明】
【技術分野】
【０００１】信号機のある交差点に向かって走っていて、信号機の黄色が点灯した場合、車が通常のブレーキを掛けて、交差点で求められる停止位置から逆に、空走距離＋制動距離＝停止距離を置いた、車が通常のブレーキを掛けるべき最終地点に、仮に黄色で道路に線を引く技術と、信号機のある交差点に速度取締装置を併設し、信号機と速度取締装置を連動して、高性能カメラで、赤色の点灯時に、その交差点で求められる停止位置上を、その付近では止まれないようなスピードで通過する車等の写真を撮り得るようにする技術に関するものである。
【背景技術】
【０００２】従来の技術では、信号機のある交差点は、とくに危険な場所に無くても危険であった。それは、信号機の点滅によって、交通法規上適法行為が、秒単位で違法行為になり得るという点にある。
交通の教則−運転者用−（監修・警視庁交通局）平成１４年６月１日第６改訂版Ｐ１１によると、
「信号の意味−黄色の灯火−車や路面電車は停止位置から先へ進んではいけません。しかし、黄色の灯火にかわったときに停止位置に近づいていて、安全に停止することができない場合は、そのまま進むことができます。」
と、記されているが、安全に停止できるかどうかは、感覚の問題で、それぞれの交差点で信号機の色が変わるとき、常に、急に、その判断が出来るのか、という問題がある。
また、事故後の調査においても、ブレーキやタイヤの痕等はわかっても、信号機がその時何色だったのか、という問題は多くの場合重要な問題となる。
【発明が解決しようとする課題】
【０００３】車を運転していて交差点に近づいているとき、信号機が黄色になったらもうこのへんでブレーキをかけた方がよい地点と、もう間に合わないから、前後左右に注意してわたるのが適正な地点を、なにか、普段青信号でわたるときには影響がない形で運転手に知らせる方法はないか、これがなかなか無いのが１つめの欠点。
それから、事故後においてその時の信号機が何色であったかわかるはっきりとしたもの、例えば写真が無いのが２つめの欠点。
本発明は、この２つの欠点を解決するためになされたものである。
【課題を解決するための手段】
【０００４】信号機（１）のある交差点に向かって、その道路の制限速度で走っていて、信号機の黄色が点灯した場合、車が通常のブレーキを掛けて、通常の乾燥した路面で、性能を十分発揮できるタイヤをはいている場合の、交差点で求められる停止位置から逆に、空走距離＋制動距離＝停止距離を置いた、車が通常のブレーキを掛けるべき最終地点に、色は何でも良いが、仮に黄色で道路に線を引く最終ブレーキポイント指示ライン（２）。〔図１〕
【０００５】信号機（１）のある交差点に向かって、その道路の制限速度で走っていて、信号機の黄色が点灯した場合、車が通常のブレーキを掛けて、通常の乾燥した路面で、性能を十分発揮できるタイヤをはいている場合と、雨に濡れた路面で、法律で許される範囲内で、タイヤがすり減った状態での場合の２つの場合の、交差点で求められる停止位置から逆に、空走距離＋制動距離＝停止距離を置いた、車が通常のブレーキを掛けるべき、それぞれの最終地点に、色は何でも良いが、仮に黄色で道路に２本の線を引く最終ブレーキポイント指示ライン（２）。
【０００６】最終ブレーキポイント指示ライン（２）の幅の線の太さは、道路交通法関係で決められた幅の線の太さとするか、その時代々々のブレーキの性能の差を、そのまま、当該最終ブレーキポイント指示ライン（２）の幅の線の太さとする。
【０００７】先に求めた２本の最終ブレーキポイント指示ライン（２）の１方を、点線にするか、色を変えるか、あるいは両方を施してラインを引く最終ブレーキポイント指示ライン（２）。
【０００８】また、その２本の最終ブレーキポイント指示ライン（２）を、あわせて
１、１本の太いライン、結果的には長方形の区間とするか、〔図７〕
２、長方形の内部は左右どちらかの側からの斜線にする、
３、左右からの斜線で長方形の内部に×印が１箇所か複数箇所ある様にする、
４、指示ラインを段々太くするか細くする、〔図８〕（範囲を示す長方形はある場合と無い場合がある）
５、長方形の内部に、Ｂ（頭文字）、ＢＲＡＫＥ（英語）、ＢＲＥＭＳＥ（ドイツ語）、Ｆ（頭文字）、ＦＲＥＩＮ（フランス語）、ＦＲＥＮＯ（スペイン語、イタリア語）、等の文字を入れて示す、
最終ブレーキポイント指示ライン（２）。
【０００９】車等が通常走り、曲がり、止まるのには何ら影響はなく、運転手に不快感は与えないが、運転手がそのうえを走ったことは明確に解るよう、段差舗装や道路ビョウ等の技術を取り込んだ最終ブレーキポイント指示ライン（３）。〔図２〕
【００１０】運転手にも最終ブレーキポイント指示ライン（２）に達したことが、解りやすい様に、運転席からも容易に見えるように幅を広くとった最終ブレーキポイント指示ライン（２）。
【００１１】運転手にも最終ブレーキポイント指示ライン（２）に達したことが、解りやすい様に、運転席からも容易に見えるように、最終ブレーキポイント指示ライン（２）を、道路上から路側帯を通り越して歩道の上まで引き、そこに１、５メートル程度のポール（４）をたてた最終ブレーキポイント指示ライン（２）。〔図３〕
【００１２】信号機（１）のある交差点に速度取締装置（５）を併設し、信号機（１）と速度取締装置（５）を連動して、１機か２機の高性能カメラ（６、７）で、赤色の点灯時に、（信号機の）３色のライトの内、赤色の廂（１１）の一部に透明の窓（８）を設けた信号機（１）の上の１機（６）と、運転者の顔が写る場所の１機（７）から、その交差点で求められる停止位置上を、その付近では止まれないようなスピード、たとえば１０キロメートル以上で通過する車か、交差点の内部に侵入している車等の写真｛当然登録番号（１２）とともに｝を１枚か同時に２枚、撮り得るようにする。〔図４、５、６〕
【００１３】また、２枚撮影する場合その２枚は、同一の時間に撮ったことがわかるよう、撮影の日付と時間（９）を、また、赤信号になってから何秒後の出来事かわかるよう、信号機の赤色の点灯後の経過秒数（１０）も、写真と同時に写真内にプリントする。〔図５〕
【００１４】最後に、特定方向、特に右折可能の青い矢印（→）を表示する信号機（１）の場合、青い矢印（→）を表示するタイミングを、現在の黄色から赤色に変わるタイミングから、青色から黄色に変わるタイミングに早める。
現状では、右折予定で右折可能の青い矢印（→）を表示する信号機（１）のある交差点に近付いた場合、黄色の灯火を見た時点で、可能であれば一旦停止すべくブレーキ操作をし、止まるか止まらないかで青い矢印（→）の灯火を見て再度出発しなければならない。
これは、交差点内を安全に通行するためのブレーキ操作とは微妙に異なり、また、信号機（１）が本来の最初の青信号時に通過する場合とは違った操作を運転手に求めることにもなり、不適切かつ不必要である。
本発明は、以上の構成よりなる「最終ブレーキポイント指示ライン」である。
【発明を実施するための最良の形態】
【００１５】以下、本発明の実施の形態を説明する。
車を運転していて交差点に近づいているとき、信号機（１）が黄色になったらもうこのへんでブレーキをかけた方がよい地点か、もう間に合わないから、前後左右に注意してわたるのが適正な地点かが、感覚ではなく視覚で、はっきりと、例えば黄色いラインの、最終ブレーキポイント指示ライン（２）で解る。
不幸にして事故後においても、どちらかの側の信号機が赤であれば、すなわち常に、その時の信号機（１）が何色であったかわかるはっきりとしたもの、すなわち写真が厳然として存在する。【００１６】ここで、全国の信号機（１）のある交差点に速度取締装置（５）を備えるのが無理であれば、当然、事故発生率の高い交差点か事故件数の多い交差点だけでもよく、また、高性能カメラのフィルム代が問題になる場合には、運転者の前方の信号機が黄色から赤色に変わって、その後数秒間を置いて左右の信号機が赤から青にかわる、すなわち一般的な３、４つ角の交差点において、その交差点のすべての信号機が赤、赤から赤、青にかわるが、その全時間が無理ならば、後半の、すなわちより危険な、赤、青の時間の前後のみ写真に残す方法もある。
【発明の効果】
【００１７】信号機が黄色になったらもうこのへんでブレーキをかけた方がよい地点か、もう間に合わないから、前後左右に注意してわたるのが適正な地点かが、感覚ではなく視覚で、はっきりと解り、また、赤信号を無視すれば、きっちり写真を撮られるようになれば、当然確信犯的信号無視、あるいはそれと気付かずに、犯してしまっている信号無視の件数が激減し、本当の意味での交通安全に一歩近づける。
ブレーキの性能にももちろん差はあるが、先の「交通の教則−運転者用」にも「速度と停止距離のめやす」−Ｐ３６、としてでているように、ある一定のめやすは示し得るものであり、それが交通安全に資するものであれば、これを拒む理由はない。
また、その時代々々のブレーキの性能の差がそのまま、当該最終ブレーキポイント指示ライン（２）の幅の太さとなってもよい。
【図面の簡単な説明】
【図１】信号機のある交差点の図
【図２】段差舗装や道路ビョウ等の技術を取り込んだ最終ブレーキポイント指示ラインの図
【図３】ポールをたてた最終ブレーキポイント指示ラインの図
【図４】速度取締装置（高性能カメラ）を併設した信号機の図
【図５】高性能カメラで撮った写真の図
【図６】速度取締装置を併設した信号機のある交差点の図
【図７】２本の最終ブレーキポイント指示ラインを合わせた図（１）
【図８】２本の最終ブレーキポイント指示ラインを合わせた図（２）
【符号の説明】
１  信号機
２  最終ブレーキポイント指示ライン
３  段差舗装や道路ビョウ等の技術を取り込んだ最終ブレーキポイント指示ライン
４  ポール
５  速度取締装置
６  信号機に取り付けた高性能カメラ
７  高性能カメラ
８  透明の窓
９  撮影の日付と時間
１０  赤色の点灯後の経過秒数
１１  信号機の赤色の廂
１２  登録番号
【図１】
2006161555.tif 000003
【図２】
2006161555.tif 000004
【図３】
2006161555.tif 000005
【図４】
2006161555.tif 000006
【図５】
2006161555.tif 000007
【図６】
2006161555.tif 000008
【図７】
2006161555.tif 000009
【図８】
2006161555.tif 000010